(57)【要約】      （修正有）【課題】操作性を向上できるとともに、ＥＶＦに表示させる画像の種類、量及び表示方法の選択自由度を高め、しかも従来にはない新たな利用用途を提供できる撮像装置を提供する。【解決手段】被写体を撮像して画像信号を出力する撮像素子と、接眼部を有し前記画像信号に基づいて画像を表示する複数のファインダとを具備するようにした。【選択図】図３
2012134680.tif 000002
【特許請求の範囲】
【請求項１】
被写体を撮像して画像信号を出力する撮像素子と、接眼部を有し前記画像信号に基づいて画像を表示する複数のファインダとを具備することを特徴とする撮像装置。
【請求項２】
前記撮像手段が設けられる撮像装置本体をさらに具備し、
前記複数のファインダのうち、少なくとも１の前記ファインダが、前記撮像装置本体に対して着脱可能であり、又は、他の前記ファインダとの位置関係を変更できる請求項１記載の撮像装置。
【請求項３】
前記複数のファインダが表示する画像を制御する表示制御部をさらに具備し、
前記表示制御部が、前記複数のファインダに同じ画像又は異なる画像を表示させる請求項１又は２記載の撮像装置。
【請求項４】
前記ファインダが２つであり、
前記表示制御部が、一方の前記ファインダに前記画像信号が示す元画像を表示するとともに、他方の前記ファインダに前記元画像を補正した補正画像を表示するものである請求項３記載の撮像装置。
【請求項５】
前記ファインダが２つであり、
前記表示制御部が、前記各ファインダに右目用及び左目用の視差画像を表示するものである請求項３記載の撮像装置。
【請求項６】
撮像装置本体と、前記撮像装置本体に設けられ被写体を撮像して画像信号を出力する撮像手段と、接眼部を有し前記画像信号に基づいて画像を表示するファインダとを具備するものであって、
前記ファインダが前記撮像装置本体に対して着脱可能であり、前記ファインダを取り外した場合に、前記ファインダが前記撮像装置本体と無線通信して前記画像信号を受け付けることを特徴とする撮像装置。
【請求項７】
前記ファインダを取り外した場合に、取り外された前記ファインダに表示される画像のフレームレートを低下させるようにした請求項６記載の撮像装置。
【発明の詳細な説明】
【技術分野】
【０００１】
本発明は、被写体を撮像して画像信号を出力する撮像手段と、接眼部を有し前記画像信号に基づいて画像を表示するファインダとを具備する撮像装置に関する。
【０００２】
この種の撮像装置として、被写体を撮像し画像信号を出力する撮像手段と、前記画像信号を用いて画像を表示する接眼タイプの電子ビューファインダ（以下、ＥＶＦともいう）及び非接眼タイプの液晶ディスプレイモニタ（以下、ＬＣＤともいう）とを具備するカメラがある。
【０００３】
特許文献１には、ＬＣＤに画像を表示するとともに、ＥＶＦにその画像の一部を拡大表示して、ＬＣＤの等倍画像で構図を確認したり、ＥＶＦの拡大画像でピントが合っているかどうかを確認したりすることが記載されている。
【０００４】
しかしながら、ＬＣＤ及びＥＶＦの画像を確認するためには、カメラから顔を離したり近付けたりする必要があり、操作性が悪いという問題がある。また、ＥＶＦはＬＣＤの補助的役割で利用されており、十分に活用されているとは必ずしもいえない。
【先行技術文献】
【特許文献】
【０００５】
【特許文献１】特開２００６−２８７６７９号公報
【特許文献２】特開２０１０−７４６１２号公報
【特許文献３】特開２０１０−１３４０７７号公報
【特許文献４】特開２００８−２６８７２６号公報
【発明の概要】
【発明が解決しようとする課題】
【０００６】
本発明は、上記の問題を解決すべく図ったものであり、特にＥＶＦに着目して、操作性を向上させることをその主たる所期課題とするものである。
【課題を解決するための手段】
【０００７】
すなわち、本発明に係る撮像装置は、被写体を撮像して画像信号を出力する撮像手段と、接眼部を有し前記画像信号に基づいて画像を表示する複数のファインダとを具備することを特徴とするものである。
【０００８】
このようなものであれば、接眼部を有し画像を表示するファインダが複数あるので、複数のファインダそれぞれに画像を表示して、撮像装置から顔を離すことなくそれらの画像を確認することができ、操作性を向上させることができる。また、複数のファインダに異なる画像を表示して、例えば一人の人間がファインダを介して同時に異なる画像を確認できる。これにより、例えば右目用及び左目用の視差画像を同時に見て、立体画像を見ることができ、従来にはない新たな利用用途を提供できる。一方、複数のファインダに同じ画像を表示して、例えば複数の人間がファインダを介して同時に同じ画像を確認できる。これにより、例えばプロカメラマンが生徒に写真撮像を指導する場合に、同時に同じ画像を確認しながら指導することができ、従来にはない新たな利用用途を提供できる。さらに、ファインダに表示する情報の種類、量、及び表現方法の選択自由度を高めることができる。
【０００９】
前記撮像手段が設けられる撮像装置本体をさらに具備し、前記複数のファインダのうち、少なくとも１の前記ファインダが、前記撮像装置本体に対して着脱可能であり、又は、他の前記ファインダとの位置関係を変更できるものであれば、複数の人間が前記ファインダの画像を確認しやすくしたり、複数のファインダを各撮像者の両目の間隔に合わせて配置して、複数のファインダを撮像者が両目で同時に覗いて複数の画像を確認しやすくしたりできる。
【００１０】
複数のファインダに同じ画像又は異なる画像を表示させるためには、前記複数のファインダが表示する画像を制御する表示制御部をさらに具備し、前記表示制御部が、前記複数のファインダに同じ画像又は異なる画像を表示させるものが望ましい。
【００１１】
画像を補正する際の操作性を向上させるためには、前記ファインダが２つであり、前記表示制御部が、一方の前記ファインダに前記画像信号が示す元画像を表示するとともに、他方の前記ファインダに前記元画像を補正した補正画像を表示するものが望ましい。
【００１２】
立体画像を撮像するには、前記ファインダが２つであり、前記表示制御部が、前記各ファインダに右目用及び左目用の視差画像を表示するものが望ましい。
【００１３】
また、本発明の別様態としては、撮像装置本体と、前記撮像装置本体に設けられ被写体を撮像して画像信号を出力する撮像手段と、接眼部を有し前記画像信号に基づいて画像を表示するファインダとを具備するものであって、前記ファインダが前記撮像装置本体に対して着脱可能であり、前記ファインダを取り外した場合に、前記ファインダが前記撮像装置本体と無線通信して前記画像情報を受け付けることを特徴とするものを挙げることができる。このようなものであれば、狭い場所での撮像や自分自身を撮像するいわゆる自分撮りの場合のように、従来ではファインダを覗くことが困難な場合であっても、容易にファインダに表示される画像を確認して撮像することができ、撮像時の操作性を向上させることができる。
【００１４】
消費電力を抑えるためには、前記ファインダを取り外した場合に、取り外された前記ファインダに表示される画像のフレームレートを低下させるようにしたものが望ましい。
【００１５】
上述した構成の本発明によれば、ファインダを複数設けたり、取り外したりできるので、操作性を向上できるとともに、ＥＶＦに表示させる画像の種類、量及び表示方法の選択自由度を高め、しかも従来にはない新たな利用用途を提供できる。
【図面の簡単な説明】
【００１６】
【図１】同実施形態における撮像装置の背面図。
【図２】本発明の実施形態における撮像装置の電気的構成を示す模式的ブロック図。
【図３】同実施形態における撮像装置の一方のＥＶＦを取り外した状態を示す図。
【図４】同実施形態における撮像装置のＬＣＤに設けられた操作領域を示す図。
【発明を実施するための形態】
【００１７】
以下、本発明の一実施形態を、図面を参照して説明する。本実施形態に係る撮像装置１００は、ここでは静止画及び動画を含む画像を撮像するデジタルカメラとしたが、静止画及び動画のいずれか一方のみを撮像するものであってもよい。
【００１８】
撮像装置１００は、概略直方体形状をなす撮像装置本体１１０を具備する。撮像装置本体１１０の正面には、撮像光学系１０が設けられており、撮像装置本体１１０の内部には、撮像素子２０が収容されている。また、図１に示すように、撮像装置本体１１０の背面には、複数のＥＶＦ３０、３１、ＬＣＤ４０及び第１操作部５０が設けられている。
【００１９】
撮像光学系１０は、後述する撮像素子２０上に被写体像を結像させるものであり、複数のレンズを具備する。
【００２０】
撮像素子２０は、撮像光学系１０によって形成される被写体像を受光面に結像させて、被写体を撮像して画像信号を出力するものであり、例えばＣＣＤイメージセンサやＣＭＯＳイメージセンサである。
【００２１】
複数のＥＶＦ３０、３１（電子ビューファインダ、Ｅｌｅｃｔｒｏｎｉｃ  Ｖｉｅｗ  Ｆｉｎｄｅｒ）は、撮像者が接眼する接眼部３０ａ、３１ａと、前記画像信号に基づいて画像を表示する表示画面３０ｂ、３１ｂとを具備するものである。接眼部３０ａ、３１ａは、ここでは周囲の光の侵入を防止するべく前記表示画面３０ｂ、３１ｂの周縁部から突出するものであり、例えば弾性部材からなるアイカップを具備する。また、接眼部３０ａ、３１ａは、撮像者が接眼したことを検知する接眼検知手段を具備する。ＥＶＦ３０、３１の詳細については後述する。
【００２２】
ＬＣＤ４０（液晶ディスプレイ、Ｌｉｑｕｉｄ  Ｃｒｙｓｔａｌ  Ｄｉｓｐｌａｙ）は、接眼部を有さず前記画像信号に基づいて画像を表示するものである。なお、ＥＶＦ３０、３１の画面サイズはＬＣＤ４０の画面サイズよりも小さなものである。
【００２３】
第１操作部５０は、撮像者が各種操作指令を入力するものである。なお、第１操作部５０の一例としては、例えば撮像者が撮像動作開始指令を入力するためのシャッターボタン、電源のオン／オフを切り替える電源ボタン、光学ズームやデジタルズームの拡大倍率を変更するためのズームボタン、静止画撮像モード、動画撮像モード及び画像再生モード等を切り替えるモード切替ボタン、各種設定等を変更するメニューボタン、被写体に対して前記撮像光学系１０を上下左右に傾けるチルトボタンを挙げることができる。なお、第１操作部５０は撮像装置本体１１０の背面だけでなく上面に設けられていてもよい。
【００２４】
ここで、撮像装置１００の電気的構成について図２を参照して簡単に説明しておく。
この撮像装置１００において、被写体はレンズ等の撮像光学系１０によって、ＣＣＤ等の撮像素子２０上に結像される。撮像素子２０は被写体を撮像して画像信号を信号処理部６０へ出力する。信号処理部６０はアナログ信号をデジタル信号に変換し、デジタル信号に変換された画像（ベイヤ配列原画像）は、記憶部６１の所定領域に保存される。ベイヤ配列原画像は、画像処理部６２によって、ＲＧＢ画像に変換処理されたり、ＪＥＰＧ形式等の所定形式に符号化されたり、ホワイトバランス補正及びγ補正等の各種補正が施されたりして、ＳＤカード等の記録メディア６３に保存される。画像は表示部７０によって表示される。
【００２５】
しかして、この実施形態においては、図１及び図３に示すように、撮像装置１００の表示部７０が複数のＥＶＦ３０、３１を具備する。複数のＥＶＦ３０、３１は、ここでは撮像装置本体１１０に対して着脱可能である第１ＥＶＦ３０（ここでは撮像装置本体１１０背面に向かって左側のＥＶＦ）と、撮像装置本体１１０に固着した第２ＥＶＦ３１（ここでは撮像装置本体１１０背面に向かって右側のＥＶＦ）とである。
【００２６】
第１ＥＶＦ３０を前記撮像装置本体１１０に取り付けた状態において、第１ＥＶＦ３０及び第２ＥＶＦ３１の表示画面３０ｂ、３１ｂの水平高さは一致するように並べて構成してあるとともに、第１ＥＶＦ３０と第２ＥＶＦ３１との位置関係を変更できるようにしてある。具体的には、撮像装置本体１１０背面に１又は複数の凹部（図示しない。ここでは凹溝）が形成してあり、その凹部に第１ＥＶＦ３０に設けられた凸部を嵌めて、第１ＥＶＦ３０を前記撮像装置本体１１０に取付位置変更可能（ここではスライド可能）に接続する。これにより、第１ＥＶＦ３０と第２ＥＶＦ３１との距離を、撮像者の両目の間隔に一致させることができ、撮像者が各ＥＶＦ３０、３１を同時に覗くことができる。
【００２７】
第１ＥＶＦ３０を前記撮像装置本体１１０から取り外した状態において、第１ＥＶＦ３０は撮像装置本体１１０と無線通信して画像信号を受け付けることができるように構成してある。具体的には、第１ＥＶＦ３０及前記撮像装置本体１１０がそれぞれ送受信部を具備しており、前記撮像装置本体１１０の送受信部から送信された電気信号を、第１ＥＶＦ３０の送受信部が受け付けて、第１ＥＶＦ３０の表示画面３０ｂに画像が表示される。
【００２８】
また、第１ＥＶＦ３０には、撮像者が各種操作指令を入力する第２操作部が設けられており、撮像者が第２操作部を押すと、前記各送受信部を介して撮像装置本体１１０の動作を制御できるようにしてある。第２操作部としては、前記第１操作部５０と同様に、例えばシャッターボタン、電源ボタン、ズームボタン、モード切替ボタン、メニューボタン、チルトボタン等を挙げることができる。
【００２９】
また、撮像装置１００の表示部７０は、複数のＥＶＦ３０、３１及びＬＣＤ４０が表示する画像を制御する表示制御部７１を具備する。表示制御部７１は、第１ＥＶＦ３０及び第２ＥＶＦ３１に同じ画像又は異なる画像を表示する。異なる画像としては、例えば、画像に関連する関連情報、ズーム画像、補正前後の画像、設定を変えた画像、ブラケット機能で撮像した画像、動画を表示することができる。それぞれの場合について説明する。
【００３０】
関連情報を表示する場合について説明する。表示制御部７１は、一方のＥＶＦ３０に画像を表示するとともに、他方のＥＶＦ３１にその画像に関連する関連情報を表示する。他方のＥＶＦ３１は関連情報のみを表示してもよいし、画像に関連情報を重ねて表示してもよい（オーバーレイ表示）。関連情報としては、例えばヒストグラム、撮像日時、解像度、シャッタースピード、絞り（Ｆ値）、ＩＳＯ感度、焦点距離等を挙げることができる。また、他方のＥＶＦ３１記録メディア６３の残り容量やバッテリー情報等の撮像装置１００に関する撮像装置情報を表示してもよい。
なお、一方のＥＶＦに第１ＥＶＦ３０の符号を付けて説明したが、一方のＥＶＦを第２ＥＶＦ３１とし、他方のＥＶＦを第１ＥＶＦ３０としてもよいことは言うまでもない。以下についても同様である。
【００３１】
ズーム画像を表示する場合について説明する。表示制御部７１は、一方のＥＶＦ３０に構図確認用の全体像（ここでは等倍画像）を表示するとともに、他方のＥＶＦ３１にフォーカス確認用にズーム画像を表示する。これにより、撮像者はピントがあっているかどうかを確認することができる。
【００３２】
補正前後の画像を表示する場合について説明する。表示制御部７１は、一方のＥＶＦ３０に前記画像信号が示す元画像を表示するとともに、他方のＥＶＦ３１に前記元画像を補正した補正画像を表示する。これにより、撮像者が画質調整後の効果や、画像編集後の画像を確認する。補正としては、例えば明るさ補正、コントラスト補正、色相補正や彩度補正等のカラー補正、トリミング補正等を挙げることができる。なお、元画像は、撮像待機状態において、一定周期で撮像素子２０が画像信号を出力し、その画像信号に基づいて表示されるライブビュー画像であってもよいし、撮像された後の撮像画像であってもよい。また、元画像は、補正を全く施していない一次画像だけでなく、一次画像を補正した二次画像であってもよい。その場合、他方のＥＶＦ３１には二次画像を更に補正した三次画像を表示する。
【００３３】
設定を変えた画像を表示する場合について説明する。表示制御部７１は、一方のＥＶＦ３０に前記ライブビュー画像を表示するとともに、他方のＥＶＦ３１に、撮像に関する設定を変更しながら各種設定後の画像を順次表示する。撮像者が、他方のＥＶＦ３１に気に入った画像が表示されているときに、シャッターボタンを押すと、その設定が反映されて撮像される。
【００３４】
ブラケット機能で撮像した画像を表示する場合について説明する。撮像時には、撮像装置１００が露出等の設定値を、記憶部に格納されたプログラムに従って算出し、その算出設定値で画像を撮像するが、このとき、算出設定値とは異なる変更設定値（例えば、算出設定値よりも所定値高い又は低い値）でも画像を撮像しておく。（ブラケット機能での撮像）。表示制御部７１は、各ＥＶＦ３０、３１に露出等の設定値が異なる各画像を表示する。ブラケットとしては、露出の度合いを変えた露出ブラケットの他、フラッシュの度合いを変えたフラッシュブラケット、ピント位置を変えたフォーカスブラケット、ホワイトバランスを変えたホワイトバランスブラケット等を挙げることができる。
【００３５】
動画を表示する場合について説明する。表示制御部７１は、一方のＥＶＦ３０に前記ライブビュー画像や動画撮像中の画像を表示するとともに、他方のＥＶＦ３１に再生画像を表示するようにしてもよい。再生画像としては、所定時間だけ遅れて再生した動画を表示してもよいし（追っかけ再生）、所定時間ごとの静止画を表示するようにしてもよい。
【００３６】
さらに、第１ＥＶＦ３０を取り外した場合に、表示制御部７１が、第１ＥＶＦ３０に表示される画像のフレームレートを低下させるようにして、消費電力を抑えるようにしてある。
【００３７】
また、撮像者が一方のＥＶＦ３０（ここでは第１ＥＶＦ３０）を覗くと、一方のＥＶＦ３０の前記接眼検知手段が接眼を検知して、表示制御部７１が接眼されたＥＶＦ３０のみに画像を表示し、接眼されていない他方のＥＶＦ３１の表示をＯＦＦ（Ｓｌｅｅｐ）にする。さらに、取り外された第１ＥＶＦ３０のみを覗いており、撮像装置本体１１０の第２ＥＶＦ３１を覗いていない場合には、表示制御部７１はＥＶＦ３０、３１の表示のＯＮ／ＯＦＦに加え、ＬＣＤ４０の表示をＯＦＦにする。
【００３８】
また、図４に示すように、ＬＣＤ４０は、撮像者が触れた位置を検知する位置検知手段を具備し、いわゆるタッチパネル式入力装置としての機能を有しており、撮像者の各種操作指令を受け付ける第３操作部としても機能する。第３操作部としては、前記第１操作部５０及び第２操作部と同様の各種ボタン等を挙げることができる。ＥＶＦ３０、３１に接眼した状態で撮像者がＬＣＤ４０に触れると、表示制御部７１がＥＶＦ３０、３１にメニューを表示し、指による操作でそれらのメニューを選択できる。また、第１ＥＶＦ３０が撮像装置本体１１０に取り付けられている状態で、撮像者が第１ＥＶＦ３０及び第２ＥＶＦ３１を覗くと、第３操作部に、第１ＥＶＦ３０を操作するための第１操作領域と、第２ＥＶＦ３１を操作するための第２操作領域とが形成される。撮像者は、各操作領域に触れることによって、対応するＥＶＦ３０、３１に表示させる画像や情報を制御する。
【００３９】
本実施形態の撮像装置１００によれば、接眼部３０ａ、３１ａを有し画像を表示するＥＶＦ３０、３１が複数あるので、複数のＥＶＦ３０、３１それぞれに画像を表示して、撮像装置１００から顔を離すことなくそれらの画像を確認することができ、操作性を向上させることができる。また、複数のＥＶＦ３０、３１に異なる画像を表示して、例えば一人の人間がＥＶＦ３０、３１を介して同時に異なる画像を確認できる。これにより、例えば右目用及び左目用の視差画像を同時に見て、立体画像を見ることができ、従来にはない新たな利用用途を提供できる。一方、複数のＥＶＦ３０、３１に同じ画像を表示して、例えば複数の人間がＥＶＦ３０、３１を介して同時に同じ画像を確認できる。これにより、例えばプロカメラマンが生徒に写真撮像を指導する場合に、同時に同じ画像を確認しながら指導することができ、従来にはない新たな利用用途を提供できる。さらに、ＥＶＦ３０、３１に表示する情報の種類、量、及び表現方法の選択自由度を高めることができる。
【００４０】
なお、本発明は前記実施形態に限られるものではない。例えば、立体画像を撮像するべく、撮像装置が、２つの撮像光学系及び各撮像光学系に対応する２つの撮像素子を有しているものであってもよい。具体的には、各撮像素子が右目用及び左目用の視差画像信号を出力するものであり、表示制御部が、第１ＥＶＦ及び第２ＥＶＦに右目用及び左目用の視差画像を表示させるものであればよい。
【００４１】
また、撮像光学系が１つであっても、撮像装置を動かしながら撮像することにより、撮像素子が右目用及び左目用の視差画像信号を出力して、表示制御部が各ＥＶＦに右目用及び左目用の視差画像を表示するようにしてもよい。
【００４２】
また、ＥＶＦは２つであり、一方のＥＶＦが着脱可能かつ取付位置調整可能（スライド可能）に接続されており、他方のＥＶＦが固着されているものとしたが、これに限られるものではない。例えば、両方のＥＶＦが着脱可能かつ取付位置調整可能に接続されていてもよいし、両方のＥＶＦが固着されていてもよい。複数のＥＶＦはそれぞれ、着脱可能かつ取付位置調節可能、着脱可能かつ取付位置調節不可能（撮像装置本体における１の所定位置のみに取り付けられる）、着脱不可能かつ取付位置調節可能、固着のいずれであってもよい。
【００４３】
また、ＥＶＦは２つに限られず、１つであってもいいし、３つ以上であってもよい。ＥＶＦが１つである場合、そのＥＶＦは着脱可能であり、前記ＥＶＦを取り外した場合に、前記ＥＶＦの送受信部が前記撮像装置本体の送受信部と無線通信して前記画像信号を受け付けるものである。
【００４４】
また、１又は複数のＥＶＦ（例えば２つのＥＶＦ）が、頭部に装着する表示装置であるヘッドマウントディスプレイの一部を構成するようにしてもよい。さらに、複数のＥＶＦにスピーカを設け、擬似サラウンドを実現してもよい。
【００４５】
加えて言えば、取り外したＥＶＦを、所定のインターフェースを介して、スマートフォン等の外部表示装置に電気的に接続することによって、前記撮像装置本体から取り外したＥＶＦに送信した画像を、前記外部表示装置に表示させるようにしてもよい。その他、本発明は上記の各実施形態に限られず、本発明の趣旨を逸脱しない範囲で、前述した種々の構成の一部又は全部を適宜組み合わせて構成してもよい。
【符号の説明】
【００４６】
１００・・・撮像装置
１１０・・・撮像装置本体
２０・・・撮像素子
３０・・・第１ＥＶＦ
３１・・・第２ＥＶＦ
４０・・・ＬＣＤ
５０・・・第１操作部
【図１】
2012134680.tif 000003
【図２】
2012134680.tif 000004
【図３】
2012134680.tif 000005
【図４】
2012134680.tif 000006